(57)【要約】【課題】外部機器で扱うコンテンツを視聴する際の利便性を向上させた映像音声装置を提供する。【解決手段】外部機器から映像音声情報を受信する受信部と、表示部にコンテンツの映像を表示させているときに前記受信部が映像情報を受信すると、前記受信された映像情報と前記コンテンツの映像情報に基づく複数画面表示に表示を切替える表示制御部と、前記表示制御部による表示切替えの際に、音声出力を前記コンテンツの音声から前記受信部により受信された音声情報に基づく音声へ切替える音声出力制御部と、を備える映像音声装置としている。【選択図】図３
2015231115.tif 000002
【特許請求の範囲】
【請求項１】
外部機器から映像音声情報を受信する受信部と、
表示部にコンテンツの映像を表示させているときに前記受信部が映像情報を受信すると、前記受信された映像情報と前記コンテンツの映像情報に基づく複数画面表示に表示を切替える表示制御部と、
前記表示制御部による表示切替えの際に、音声出力を前記コンテンツの音声から前記受信部により受信された音声情報に基づく音声へ切替える音声出力制御部と、
を備える映像音声装置。
【請求項２】
操作部による設定に応じて、前記音声出力制御部は音声を切替えるか否かを切替えることを特徴とする請求項１に記載の映像音声装置。
【請求項３】
前記表示制御部は、前記複数画面表示において前記コンテンツの字幕情報を表示させることを特徴とする請求項１又は請求項２に記載の映像音声装置。
【請求項４】
外部機器から映像音声受信のための受信用情報を受信する情報受信部と、
前記情報受信部が前記受信用情報を受信すると、受信された前記受信用情報に基づいて外部より映像音声情報を受信する映像音声受信部と、
前記映像音声受信部により受信された映像情報に基づき表示部に映像を表示させる表示制御部と、
前記情報受信部が前記受信用情報を受信すると、前記外部機器との接続が切断された音声出力機器との接続を行う接続実行部と、
前記接続実行部により接続された前記音声出力機器へ、前記映像音声受信部により受信された音声情報を送信する音声送信部と、
を備える映像音声装置。
【請求項５】
前記表示制御部は、コンテンツの映像表示から、前記映像音声受信部により受信された映像情報及び前記コンテンツの映像情報に基づく複数画面表示に表示を切替え、
前記表示の切替えの際に、前記音声出力機器とは別の音声出力機器への前記コンテンツの音声情報の送信を維持する前記音声送信部とは別の音声送信部を更に備えることを特徴とする請求項４に記載の映像音声装置。
【請求項６】
所定の放送が放送されたことを検出する検出部を更に備え、
前記検出部による検出に基づき、前記音声送信部と前記別の音声送信部は、前記音声出力機器と前記別の音声出力機器へそれぞれ前記所定の放送の音声情報を送信することを特徴とする請求項５に記載の映像音声装置。
【発明の詳細な説明】
【技術分野】
【０００１】
本発明は、映像音声装置に関する。
【背景技術】
【０００２】
従来、外部機器で扱うコンテンツを視聴することができる映像音声装置が知られている（例えば特許文献１）。
【０００３】
このような映像音声装置として、例えば、複数のＨＤＭＩ（High-Definition Multimedia Interface）入力端子を有し、一のＨＤＭＩ（登録商標）入力端子に外部機器から入力される映像音声信号に基づき映像音声を視聴しているときに、優先度の高い別のＨＤＭＩ入力端子に別の外部機器から映像音声信号が入力されると、当該入力された映像音声信号に基づいた映像音声の視聴に切替えるものが存在している。
【先行技術文献】
【特許文献】
【０００４】
【特許文献１】特開２０１１−６１６３９号公報
【発明の概要】
【発明が解決しようとする課題】
【０００５】
しかしながら、上記従来の映像音声装置では、それまでに表示させていた外部機器からの映像に置き換えて、別の外部機器からの映像を表示させるので、切替前の外部機器による映像を視たいユーザーにとっては利便性が低いといった問題があった。
【０００６】
上記問題点に鑑み、本発明は、外部機器で扱うコンテンツを視聴する際の利便性を向上させた映像音声装置を提供することを目的とする。
【課題を解決するための手段】
【０００７】
上記目的を達成するために本発明の一態様に係る映像音声装置は、
外部機器から映像音声情報を受信する受信部と、
表示部にコンテンツの映像を表示させているときに前記受信部が映像情報を受信すると、前記受信された映像情報と前記コンテンツの映像情報に基づく複数画面表示に表示を切替える表示制御部と、
前記表示制御部による表示切替えの際に、音声出力を前記コンテンツの音声から前記受信部により受信された音声情報に基づく音声へ切替える音声出力制御部と、を備える構成としている。
【０００８】
このような構成によれば、外部機器からコンテンツを表示部に表示させている映像音声装置へ映像を割り込ませると、複数画面表示に切替わるとともに音声出力が自動で切替わるので、それまでコンテンツを視聴していたユーザーは、外部機器からの映像音声を視聴できると共に、コンテンツの映像も継続して視ることができるので、利便性が高いものとなる。
【０００９】
また、上記構成において、操作部による設定に応じて、前記音声出力制御部は音声を切替えるか否かを切替えることとしてもよい。
【００１０】
このような構成によれば、複数画面表示に切替わった場合でも音声についてはコンテンツのものを継続して聴きたいといったユーザーにも対応できる。
【００１１】
また、上記いずれかの構成において、前記表示制御部は、前記複数画面表示において前記コンテンツの字幕情報を表示させることとしてもよい。
【００１２】
このような構成によれば、ユーザーは、音声出力が切替わることによりコンテンツの音声が聴こえずとも、複数画面表示において字幕情報が表示されるので、コンテンツの内容を理解することが容易となる。
【００１３】
また、上記目的を達成するために本発明の別態様に係る映像音声装置は、
外部機器から映像音声受信のための受信用情報を受信する情報受信部と、
前記情報受信部が前記受信用情報を受信すると、受信された前記受信用情報に基づいて外部より映像音声情報を受信する映像音声受信部と、
前記映像音声受信部により受信された映像情報に基づき表示部に映像を表示させる表示制御部と、
前記情報受信部が前記受信用情報を受信すると、前記外部機器との接続が切断された音声出力機器との接続を行う接続実行部と、
前記接続実行部により接続された前記音声出力機器へ、前記映像音声受信部により受信された音声情報を送信する音声送信部と、を備える構成としている。
【００１４】
外部機器にて受信可能な映像音声を映像音声装置において受信させて視聴する際に、音声出力機器との接続が自動で行われ、受信された音声が音声出力機器から出力されるので、利便性が高いものとなる。
【００１５】
また、上記構成において、前記表示制御部は、コンテンツの映像表示から、前記映像音声受信部により受信された映像情報及び前記コンテンツの映像情報に基づく複数画面表示に表示を切替え、
前記表示の切替えの際に、前記音声出力機器とは別の音声出力機器への前記コンテンツの音声情報の送信を維持する前記音声送信部とは別の音声送信部を更に備えることとしてもよい。
【００１６】
このような構成によれば、複数画面表示へ切替わった際に、一のユーザーは受信された映像情報に基づく映像を視つつ、受信された音声情報の音声を音声出力機器により聴くことができる。そして、別のユーザーは、コンテンツの映像を継続して視つつ、別の音声出力機器によりコンテンツの音声を継続して聴くことができる。
【００１７】
また、上記構成において、所定の放送が放送されたことを検出する検出部を更に備え、
前記検出部による検出に基づき、前記音声送信部と前記別の音声送信部は、前記音声出力機器と前記別の音声出力機器へそれぞれ前記所定の放送の音声情報を送信することとしてもよい。
【００１８】
このような構成によれば、別々の音声を聴いている上記一のユーザーと上記別のユーザーは両方とも、所定の放送が放送された場合、その放送の音声を聴くことが可能となる。所定の放送がなるべく多くの人に聴かせたいものである場合に有効となる。
【発明の効果】
【００１９】
本発明の映像音声装置によると、外部機器で扱うコンテンツを視聴する際の利便性を向上させることができる。
【図面の簡単な説明】
【００２０】
【図１】本発明の第１実施形態に係るスマートフォンのブロック構成図である。
【図２】本発明の第１実施形態に係るテレビ装置のブロック構成図である。
【図３】本発明の第１実施形態に係る映像割り込み機能を説明する図である。
【図４】本発明の第２実施形態に係る映像割り込み機能を説明する図である。
【図５】本発明の第３実施形態に係るテレビ装置のブロック構成図である。
【図６】本発明の第３実施形態に係る映像割り込み機能に関するフローチャートである。
【図７】本発明の第３実施形態に係る映像割り込み機能を説明する図である。
【発明を実施するための形態】
【００２１】
＜第１実施形態＞
以下に本発明の一実施形態について図面を参照して説明する。まず、本発明の第１実施形態に係る映像音声システムを構成するスマートフォン（外部機器の一例）とテレビ装置（映像音声装置の一例）の構成について図１及び図２を用いて説明する。
【００２２】
スマートフォン１０（携帯端末）のブロック構成を図１に示す。図１に示すように、スマートフォン１０は、アンテナ１０１、第１無線通信部１０２、タッチパネル１０３、液晶パネル１０４、バックライト１０５、カメラ部１０６、操作部１０７、ＧＰＳ受信部１０８、ジャイロセンサー１０９、記憶部１１０、スピーカ１１１、マイク１１２、第２無線通信部１１３、第３無線通信部１１４、電源部１１５、及び制御部１１６を備えている。
【００２３】
第１無線通信部１０２は、移動通信網における基地局に対し無線通信を行う。この無線通信を用いて、音声データ、映像データ、電子メールデータ等の送受信や、Ｗｅｂデータやストリーミングデータ等の受信を行う。
【００２４】
液晶パネル１０４は制御部１１６によって駆動され、表示させる映像に応じて各画素に対応する液晶が駆動されることで光の透過率が調整される。バックライト１０５は、液晶パネル１０４を背後から照明するものであり、例えばＬＥＤと導光板を用いたエッジ型などが採用される。
【００２５】
タッチパネル１０３は、液晶パネル１０４の表示画面上に表示される映像を視認可能に構成されて液晶パネル１０４上に載置され、ユーザーの指などの操作物のタッチを検出する。タッチパネル１０３から出力された検出信号に基づき、制御部１１６はタッチパネル１０３上の操作位置を検出する。
【００２６】
カメラ部１０６は、ＣＭＯＳイメージセンサーなどの撮像素子を用いて電子撮像するものであり、撮像された画像を例えばＪＰＥＧ形式で圧縮し、圧縮データを記憶部１１０に記憶させることができる。
【００２７】
操作部１０７は、ユーザーからの入力を受け付けるハードウェアキーである。
【００２８】
ＧＰＳ受信部１０８は、ＧＰＳ衛星から電波を受信し、位置情報を取得して制御部１１６に出力するものである。ジャイロセンサー（ジャイロコンパス）１０９は、スマートフォン１０の向き（方位）を検出し、向き情報を制御部１１６に出力する。
【００２９】
記憶部１１０は、制御部１１６のための制御プログラムや制御データ、通信相手の名称や電話番号などを対応づけたアドレスデータ、送受信した電子メールデータ、ＷｅｂブラウジングによりダウンロードしたＷｅｂデータや、ダウンロードしたコンテンツデータを記憶し、またストリーミングデータなどを一時的に記憶するものである。なお、記憶部１１０は、例えばフラッシュメモリ、ＲＡＭ、ＲＯＭなどにより構成される。
【００３０】
マイク１１２は、ユーザーが発した音声を取り込み、取り込まれた音声は制御部１１６により所定の処理を行われ、第１無線通信部１０２により基地局へ送信される。また、第１無線通信部１０２により受信された音声は、制御部１１６により所定の処理を行われてスピーカ１１１から出力される。これにより、ユーザーは通話を行うことができる。なお、スピーカ１１１は、通話の音声に限らず、例えば第１無線通信部１０２により受信されたストリーミングデータに基づく音声など各種音声を出力できる。
【００３１】
第２無線通信部１１３は、Wi-Fi（登録商標）規格に準じた無線通信を行うものであり、後述するMiracastによる映像伝送等に用いられる。MiracastとはWi-Fi Allianceによって策定された、１対１の無線通信による映像伝送技術であり、映像のミラーリングを可能とする。
【００３２】
第３無線通信部１１４は、ブルートゥース（Bluetooth（登録商標））規格に準じた無線通信を行うものであり、例えば外部のブルートゥースに対応したヘッドフォンとの間で通信を行うことができる。
【００３３】
電源部１１５は、スマートフォン１０の各部に不図示であるバッテリに蓄電された電力を供給する回路である。
【００３４】
制御部１１６は、マイクロプロセッサを備え、記憶部１１０に記憶された制御プログラムや制御データに従って動作し、スマートフォン１０の各部を統括制御するものである。
【００３５】
次に、テレビ装置２０のブロック構成を図２に示す。図２に示すように、テレビ装置２０は、チューナ２０２、復調部２０３、分離部２０４、デコーダ２０５、表示部２０６、制御部２０７、アンプ部２０８、スピーカ２０９、記憶部２１０、リモコン受光部２１１、第１無線通信部２１２、及び第２無線通信部２１３を備えている。チューナ２０２には、外部のアンテナ２０１が接続される。
【００３６】
チューナ２０２は、例えば、地上デジタル放送、ＢＳデジタル放送、ＣＳデジタル放送の少なくともいずれかに対応するものであり、アンテナ２０１から入力された高周波の放送信号から所望のチャンネルの放送信号を選局する。
【００３７】
復調部２０３は、チューナ２０２において選局されたチャンネルの放送信号に対してデジタル復調及び誤り訂正などの処理を行い、トランスポートストリームを生成し、分離部２０４へ出力する。
【００３８】
分離部（デマルチプレクサ）２０４は、復調部２０３から入力されるトランスポートストリームを映像ストリーム、音声ストリーム、ＳＩ（Service Information）、字幕データ等に分離する。分離部２０４の映像音声出力は、デコーダ２０５に入力される。
【００３９】
デコーダ２０５は、分離部２０４から入力される映像ストリームに対してデコードを行い、映像データを生成する。表示部２０６は、液晶パネル２０６Ａ、パネル駆動部２０６Ｂ、及びバックライト２０６Ｃを備えている。パネル駆動部２０６Ｂは、例えばデコーダ２０５により生成される映像データに基づき液晶パネル２０６Ａに駆動信号を送る。バックライト２０６Ｃは、液晶パネル２０６Ａの背後から光を照射するものであり、例えば液晶パネル２０６Ａの背面に光源をマトリクス状に配した直下型を採用できる。これにより、液晶パネル２０６Ａに放送映像が表示される。
【００４０】
また、デコーダ２０５は、分離部２０４から入力される音声ストリームに対してデコードを行い、音声データを生成する。アンプ部２０８は、例えば、デコーダ２０５により生成される音声データに基づき電力増幅を行い、増幅後の音声信号をスピーカ２０９に出力する。これにより、スピーカ２０９から放送音声が発生される。
【００４１】
制御部２０７は、テレビ装置２０を統括的に制御する制御装置である。記憶部２１０は、制御部２０７の制御プログラムや制御データ、各種設定データなどを保存するメモリであり、例えばＲＯＭ、ＲＡＭ、及びフラッシュメモリから成る。
【００４２】
リモコン受光部２１１は、不図示のリモコン装置から操作に応じた例えば赤外線信号の操作信号を受信し、受信した操作信号をリモコンコードに変換し、リモコンコードを制御部２０７へ送信する。制御部２０７は、送信されたリモコンコードに応じた制御動作を行う。これにより、ユーザーはリモコン装置によってテレビ装置２０を操作することができる。
【００４３】
第１無線通信部２１２は、Wi-Fi規格に準じた無線通信を行うものであり、例えばスマートフォン１０の第２無線通信部１１３（図１）との間で通信を行う。
【００４４】
第２無線通信部２１３は、ブルートゥースに準じた無線通信を行うものであり、例えば外部のブルートゥースに対応したヘッドフォンとの間で通信を行う。
【００４５】
次に、以上のような構成である映像音声システムにおける、スマートフォン１０によるMiracastを用いたテレビ装置２０への映像割り込み機能について図３も参照して説明する。
【００４６】
まず、図３の上段に示すように、テレビ装置２０において、アンテナ２０１により受信された放送信号に基づいて、表示部２０６（液晶パネル２０６Ａ）に第１の映像Ｓ１（コンテンツの映像の一例）が表示されているとする。図３の上段では、第１の映像Ｓ１は表示部２０６の全画面表示としている。
【００４７】
また、このとき、放送信号に基づくデコーダ２０５により生成される音声データは、第２無線通信部２１３を介してユーザーＰ１が頭部に装着したブルートゥースに対応するヘッドフォン３０へ送信される。つまり、ユーザーＰ１は、第１の映像Ｓ１（放送映像）を視ながら、ヘッドフォン３０によって放送音声を聴くことができる。
【００４８】
ここで、図３の下段に示すように、スマートフォン１０を携帯したユーザーＰ２が、スマートフォン１０からMiracastを用いてテレビ装置２０へ映像の割り込みを行う。以下、これについて説明する。
【００４９】
まず、ユーザーＰ２によりスマートフォン１０のタッチパネル１０３で所定の操作がされると、制御部１１６は第２無線通信部１１３を介して接続可能なデバイスを検索する。ここで、テレビ装置２０では、制御部２０７がスマートフォン１０からの問い合わせに対して第１無線通信部２１２及び第２無線通信部１１３を介して制御部１１６に応答する。そして、検索されたデバイスが制御部１１６によって液晶パネル１０４に表示される。この表示にテレビ装置２０が含まれるので、ユーザーＰ２がタッチパネル１０３によってテレビ装置２０を選択すると、制御部１１６は第２無線通信部１１３及び第１無線通信部２１２を介して制御部２０７との接続を確立する。
【００５０】
接続が確立すると、制御部１１６は、液晶パネル１０４に表示させる映像の映像データに対してエンコードを行い、エンコード後の映像データを第２無線通信部１１３を介してテレビ装置２０へ送信する。テレビ装置２０では、制御部２０７が第１無線通信部２１２を介して送信された映像データを受信する。
【００５１】
そして、制御部２０７は、デコーダ２０５により生成される映像データ（放送映像のデータ）と、第１無線通信部２１２により受信された映像データに基づき、複数画面表示用の映像データを生成する。そして、表示部２０６は、生成された複数画面表示用の映像データに基づき、第１の映像Ｓ１’及び第２の映像Ｓ２（図３の下段）の２画面を含んだ複数画面表示を行う。第１の映像Ｓ１’は、デコーダ２０５により生成される映像データに基づくものである（即ち、放送映像である）。また、第２の映像Ｓは、第１無線通信部２１２により受信した映像データに基づくものである。
【００５２】
従って、表示部２０６には、それまでに表示されていた映像Ｓ１と同様のコンテンツの第１の映像Ｓ１’が表示されることに加えて、スマートフォン１０の液晶パネル１０４に表示される映像と同様の内容である第２の映像Ｓ２がミラーリング表示されることとなる。なお、図３下段で示した複数画面表示の方法は一例に過ぎず、例えば第２の映像Ｓ２を全画面表示として、それに一部重畳させるよう第１の映像Ｓ１’を小さく表示させる等、種々の方法が考えられる。
【００５３】
また、スマートフォン１０の第２無線通信部１１３からは映像のみでなく、音声データも第１無線通信部２１２に送信する。この音声データとは、液晶パネル１０４に表示される映像のコンテンツ（例えばストリーミングコンテンツ）に含まれる音声データである。なお、当該音声データは、第３無線通信部１１４を介してユーザーＰ２が装着したブルートゥースに対応したヘッドフォン４０（図３下段）に送信される。
【００５４】
制御部２０７は、スマートフォン１０から送信されて第１無線通信部２１２により受信された音声データに対してデコードを行い、音声データを生成する。そして、制御部２０７は、デコーダ２０５により生成された音声データから上記デコード後の音声データに切替えて、第２無線通信部２１３を介してヘッドフォン３０に音声データを送信する。従って、ヘッドフォン３０からは、放送音声からスマートフォン１０に表示された映像に対応した音声へ切替わって音声が発生される。
【００５５】
以上により、ユーザーＰ１がテレビ装置２０により放送の映像音声を視聴しているときに、ユーザーＰ２がスマートフォン１０によりMiracastの操作を行うと、テレビ装置２０において放送映像とミラーリングされた映像を含めた複数画面表示に表示が切替わる。これにより、ユーザーＰ２は、スマートフォン１０より大画面であるテレビ装置２０において、ミラーリングされた映像を視ることができる。
【００５６】
また、ユーザーＰ１は、ミラーリングされた映像を視ることができると共に、放送音声から自動的に切替わった上記映像に対応した音声をヘッドフォン３０により聴くことができる。更にこのとき、ユーザーＰ１は、それまでに表示されていた放送映像も複数画面表示により継続して視ることができるので、利便性が高いものとなる。
【００５７】
なお、リモコン装置（不図示）等の操作による音声切替設定により、音声切替設定がオンとなっている場合に、上述したように、スマートフォン１０からの割り込みよりに複数画面表示へ切替える際に第２無線通信部２１３からヘッドフォン３０に送る音声を切替えてもよい。一方、上記設定がオフの場合は、音声の切替えは行わず、それまでのデコーダ２０５により生成された音声データ（即ち放送音声）のままヘッドフォン３０に送るようにする。これにより、割り込まれた場合でも元のコンテンツの音声を聴きたいというユーザーにも対応できる。
【００５８】
＜第２実施形態＞
次に、第１実施形態の変形例としての本発明の第２実施形態について、図４を参照して説明する。
【００５９】
本実施形態では、スマートフォン１０においてMiracastの操作がされた場合に、テレビ装置２０の制御部２０７（図２）は、デコーダ２０５により生成された映像データ、スマートフォン１０から送られて第１無線通信部２１２により受信された映像データに加えて、分離部２０４によりトランスポートストリームから分離された字幕データに基づき複数画面表示用の映像データを生成する。そして、表示部２０６は、当該生成された映像データに基づき、図４の下段に示すように、字幕表示Ｃ１を含んだ第１の映像Ｓ１’と第２の映像Ｓ２’を含めた２画面の複数画面表示を行う。
【００６０】
これにより、ユーザーＰ１は、ミラーリング表示された第２の映像Ｓ２とそれに対応した音声（ヘッドフォン３０による）を視聴しつつ、第１の映像Ｓ１’によって、元のコンテンツである放送の映像を字幕とともに視ることができ、放送音声は聞こえずとも放送映像の内容を理解することが容易となる。
【００６１】
＜第３実施形態＞
次に、本発明の第３実施形態について図５〜図７を参照して説明する。本実施形態に係る映像音声システムにおいては、スマートフォンについては第１実施形態と同様の構成であるが（以下、スマートフォン１０として説明）、テレビ装置の構成が相違している。
【００６２】
本実施形態に係るテレビ装置のブロック構成を図５に示す。図５に示すテレビ装置２０’の構成上の第１実施形態（図２）との相違点は、第３無線通信部２１４と、ネットワークインタフェース（Ｉ／Ｆ）２１５を更に備えていることである。
【００６３】
第３無線通信部２１４は、第２無線通信部２１３と同様、ブルートゥース規格に準じた無線通信を行うものである。ネットワークインタフェース２１５は、インターネット５０と通信を行うものである。
【００６４】
次に、このようなスマートフォン１０とテレビ装置２０’から成る本実施形態に係るシステムにおけるスマートフォン１０によるテレビ装置２０’への映像割り込み機能について図６に示すフローチャート、及び図７を用いて説明する。
【００６５】
ここで、図７の上段に示すように、ヘッドフォン３０を装着したユーザーＰ１は、テレビ装置２０’の表示部２０６に表示された放送信号に基づく第１の映像Ｓ１（放送映像）を視つつ、第２無線通信部２１３からヘッドフォン３０に無線通信によって送信された音声データに基づき放送音声を聴いているものとする。
【００６６】
また、図７の下段に示すユーザーＰ２は、携帯しているスマートフォン１０により、ストリーミングコンテンツ（例えばYoutube（登録商標）によるコンテンツ等）に含まれる映像データに基づく液晶パネル１０４に表示された映像を視つつ、第３無線通信部１１４を介してヘッドフォン４０（ブルートゥースに対応）に送られる上記ストリーミングコンテンツに含まれる音声データに基づく音声を聴いているものとする。つまり、制御部１１６は、第３無線通信部１１４を介してヘッドフォン４０とペアリングが確立されている。
【００６７】
このような状態で、ユーザーＰ２によりスマートフォン１０において所定の操作がされると、図６に示すスマートフォン側の処理が開始される。すると、図６のステップＳ１で、制御部１１６（図１）は、第２無線通信部１１３及び第１無線通信部２１２（図５）を介して制御部２０７へ、上記ストリーミングコンテンツのダウンロード用のアドレス情報と、スマートフォン１０とのペアリングが確立されたヘッドフォン４０のＩＤ情報を送る。そして、ステップＳ２で、制御部１１６は、第３無線通信部１１４を介した通信により、ヘッドフォン４０とのペアリングを解除する。
【００６８】
一方、テレビ装置２０側では、ステップＳ１１において、制御部２０７は、第３無線通信部２１４を介した通信により、ヘッドフォン４０とのペアリングを新たに確立する。そして、ステップＳ１２で、制御部２０７は、第１無線通信部２１２により受信された上記アドレス情報に基づき、ネットワークインタフェース２１５を用いてインターネット５０からストリーミングコンテンツをダウンロードすることを開始する。
【００６９】
そして、制御部２０７は、ダウンロードされたストリーミングコンテンツに含まれる映像データと、デコーダ２０５により生成された映像データに基づき、複数画面表示用の表示データを生成する。そして、表示部２０６は、当該生成された表示データに基づき、図７の下段に示すように、第１の映像Ｓ１’と第２の映像Ｓ２を含めた２画面での複数画面表示に表示を切替える。第１の映像Ｓ１’は、デコーダ２０５により生成された映像データに基づくものであり、即ち、放送映像となる。また、第２の映像Ｓ２は、ダウンロードされた映像データに基づくものである。
【００７０】
また、このとき、制御部２０７は、ダウンロードされた上記ストリーミングコンテンツに含まれる音声データを第３無線通信部２１４を介してヘッドフォン４０に送信する。これにより、ヘッドフォン４０からはダウンロードされた音声データに基づく音声が発生される。
【００７１】
なお、このとき、制御部２０７は、デコーダ２０５により生成された音声データを第２無線通信部２１３を介してヘッドフォン３０に送る。これにより、ヘッドフォン３０からは放送音声が発生される。
【００７２】
以上により、スマートフォン１０によりストリーミングコンテンツを視聴していたユーザーＰ２が所定の操作によりテレビ装置２０’への映像割り込みを行うと、ユーザーＰ２は、複数画面表示によってストリーミングコンテンツの映像をスマートフォン１０よりも大画面にて視ることができる。また、このとき、ユーザーＰ２が装着したヘッドフォン４０とスマートフォン１０とのペアリングが解除され、テレビ装置２０’とのペアリングが確立され、ユーザーＰ２はストリーミングコンテンツの音声をヘッドフォン４０によって聴くことができる。
【００７３】
一方、ユーザーＰ１は、映像割り込みが行われても、複数画面表示によって、それまでと同じコンテンツである放送の映像を視つつ、放送の音声をヘッドフォン３０によって聴くことができる。
【００７４】
なお、上記ではスマートフォン１０における所定の操作により映像割り込みが行われたが、映像割り込みが行われるタイミングとしては、例えばその他にも、スマートフォン１０においてバッテリ（不図示）の残量が所定値以下となった場合としてもよい。これにより、バッテリの残量が少なくなり、スマートフォン１０での視聴の継続が困難になってきた場合に、テレビ装置２０による視聴に切替えることができ、視聴を安定して継続できる。
【００７５】
また、同様に上記タイミングとしては、例えば、スマートフォン１０のアンテナ１０１による受信状況が悪化した場合でもよい。これによっても上記と同様の効果を得ることができる。
【００７６】
また、上記では複数画面表示（図７下段）への切替えとしていたが、ネットワークインタフェース２１５によりダウンロードされたストリーミングコンテンツに含まれる映像データに基づく映像のみを一画面として表示部２０６に表示させてもよい。この場合、ストリーミングコンテンツに含まれる音声データは、第２無線通信部２１３を介してヘッドフォン３０にも送るようにしたほうが望ましい。これにより、ユーザーＰ２に加えて、ユーザーＰ１もヘッドフォン３０によってストリーミングコンテンツの音声を聴くことができる。
【００７７】
＜第４実施形態＞
次に、本発明の第４実施形態について説明する。本実施形態は、先述した第３実施形態を前提とするものである。従って、本実施形態は、スマートフォン１０（図１）とテレビ装置２０’（図５）から成るシステムを対象とする。
【００７８】
ここで、図７の下段に示すように、スマートフォン１０からの映像割り込みによって、テレビ装置２０’には複数画面表示がなされ、ヘッドフォン４０にはネットワークインタフェース２１５によりダウンロードされた音声データが送信され、ヘッドフォン３０にはデコーダ２０５により生成された音声データが送信されているとする。つまり、ユーザーＰ２は、ヘッドフォン４０によりストリーミングコンテンツの音声を聴き、ユーザーＰ１は、ヘッドフォン３０により放送の音声を聴いている。
【００７９】
この状態でテレビ装置２０’は、緊急警報放送が放送されたかを監視している。具体的には、制御部２０７は、チューナ２０２から取得されるＴＭＣＣ（Transmission and Multiplexing Configuration and Control）情報の緊急警報放送用起動フラグを監視している。このフラグが０から１になると、制御部２０７は、トランスポートストリームのＰＭＴ（Program Management Table）に含まれる緊急情報記述子を監視する。
【００８０】
そして、緊急情報記述子のstart_end_flagが１となり、area_codeがテレビ装置２０’に設定された地域符号に該当していれば、制御部２０７は、緊急情報記述子に記載されるサービスをチューナ２０２に選局させる。そして、このときデコーダ２０５により生成される映像データに基づき表示部２０６は緊急警報放送映像を表示する。この際、複数画面表示は解除してもよいし、複数画面表示のうちデコーダ２０５により生成された映像データに基づく映像の部分（図７下段の第１の映像Ｓ１’）に上記緊急警報放送映像を表示してもよい。
【００８１】
また、このとき、制御部２０７は、デコーダ２０５により生成される音声データを第２無線通信部２１３及び第３無線通信部２１４を用いて、ヘッドフォン３０及び４０にそれぞれ送信する。これにより、ヘッドフォン３０及び４０からはそれぞれ緊急警報放送の音声が発生される。
【００８２】
このように本実施形態によれば、通常時は別々の音声を聴いているユーザーＰ１とＰ２の両方に、緊急警報放送が放送されたときは緊急警報放送に関する音声を聴かせることが可能となり、安全性を高めることができる。
【００８３】
以上、本発明の実施形態について説明したが、本発明の趣旨の範囲内であれば、実施形態は種々の変形が可能である。
【００８４】
例えば、以上の実施形態では、ユーザーＰ１はヘッドフォン３０から音声を聴いたが、テレビ装置２０又は２０’に備えられるスピーカ２０９から音声を聴く形態にも適用できる。
【００８５】
また、本発明の映像音声装置は、テレビ装置に限らず、例えばＨＤＤレコーダ、光ディスクレコーダ、セットトップボックス等に適用してもよい。
【符号の説明】
【００８６】
１０  スマートフォン
２０、２０’  テレビ装置
３０  ヘッドフォン
４０  ヘッドフォン
５０  インターネット
１０１  アンテナ
１０２  第１無線通信部
１０３  タッチパネル
１０４  液晶パネル
１０５  バックライト
１０６  カメラ部
１０７  操作部
１０８  ＧＰＳ受信部
１０９  ジャイロセンサー
１１０  記憶部
１１１  スピーカ
１１２  マイク
１１３  第２無線通信部
１１４  第３無線通信部
１１５  電源部
１１６  制御部
２０１  アンテナ
２０２  チューナ
２０３  復調部
２０４  分離部
２０５  デコーダ
２０６  表示部
２０７  制御部
２０８  アンプ部
２０９  スピーカ
２１０  記憶部
２１１  リモコン受光部
２１２  第１無線通信部
２１３  第２無線通信部
２１４  第３無線通信部
２１５  ネットワークインタフェース
【図１】
2015231115.tif 000003
【図２】
2015231115.tif 000004
【図３】
2015231115.tif 000005
【図４】
2015231115.tif 000006
【図５】
2015231115.tif 000007
【図６】
2015231115.tif 000008
【図７】
2015231115.tif 000009